(57)【特許請求の範囲】
【請求項１】
一定のピッチで形成された複数のクリック溝の所望の溝にクリック突起を嵌入して位置決めを行うクリック装置において、クリック突起を複数設けると共に、前記複数のクリック突起をそれぞれクリック溝の１ピッチ内の異なる位置（クリック溝のＮピッチ分（Ｎは０又は任意の自然数）ずれている場合を含む）に位置づけたことを特徴とするクリック装置。
【請求項２】
請求項１に記載のクリック装置において、前記複数のクリック突起の数をＭとしたとき、前記複数のクリック突起の各々の位置を順次前記１ピッチ内を１／Ｍに分割した長さだけずらせて配置したことを特徴とするクリック装置。
【発明の詳細な説明】
【０００１】
【産業上の利用分野】
本発明はクリック装置に関するものであり、例えば、双眼鏡の視度調節環に    用いるに好適なものである。
【０００２】
【従来の技術】
従来双眼鏡の視度調節は、視度調節環を回転することにより行われている。
視度調節環は、双眼鏡の接眼筒外側に回転自在に設けられている。視度調節環と一体の接眼レンズ環は接眼筒の内周面に嵌合し、接眼筒の内周面の一部に形成した雌ねじに螺合している。接眼レンズ環には接眼レンズが保持されると共に、視度調節環の外周面には滑り止めのローレットが形成されている。視度調節環を回転すると、接眼レンズ環が回転しながら光軸方向へ移動し、視度調節が行われるように構成されている。このような視度調整の構成において、視度調節環が不用意に移動しないようにクリック装置が設けられている。
クリック装置は、接眼筒の外周面に円周方向へ一定のピッチで形成したクリ    ック用溝と、このクリック用溝に対向する視度調節環の内周に一体に設けられ、クリック突起をこのクリック用溝に弾圧するクリック突起部材とから構成されている。
従って、視度調節環を回転すると、クリック突起が隣接するクリック用溝の    間の山を乗り越えて、隣のクリック溝に嵌まり込む。この様にしてクリック溝の１ピッチを最小の精度とする位置決めが行われる。
【０００３】
【発明が解決しようとする課題】
このような従来の技術では、位置決め精度を上げようとした場合、クリック    溝の１ピッチを小さくすればよいが、クリック溝の１ピッチを小さくするには限界があった。
本発明はこのような従来の欠点を解決し、クリック溝の１ピッチ以下の精度    で位置決めの行えるクリック装置を得ることを目的とする。
【０００４】
【課題を解決するための手段】
上記問題点を解決するために、請求項１に記載の本発明では、一定のピッチ    でクリック溝の所望の溝にクリック突起を嵌入して位置決めを行うクリック装置において、クリック突起を複数設けると共に、前記複数のクリック突起をそれぞれクリック溝の１ピッチ内の異なる位置（Ｎピッチ（Ｎは０または任意の自然数）ずれている場合も含む）に位置づける。それによって、１ピッチ以内の分解能で位置決めができる。クリック突起の嵌入は、クリック溝に弾力的に押圧してもよいし、クリック突起がクリック溝から脱するときにクリック溝間の山にクリック突起が乗り上げるように、通常はクリック突起がクリック溝に嵌入する位置にあり、外力により弾性的に位置が変位できるように構成されていてもよい。
また、好ましくは、請求項１に記載のクリック装置において、前記クリック    突起の数をＭとしたとき、前記各クリック突起の位置を前記１ピッチを１／Ｍ分割した量だけずらせて順次配設する（Ｎピッチ（Ｎは０または任意の自然数）ずれているものも含む）。それによって、１ピッチの１／Ｍの精度で位置決めができる。
【０００５】
【発明の実施の形態】
図１は、本発明の一実施例のクリック装置を視度調節環の位置決めに用いた    双眼鏡の接眼部の断面図であり、図２、図３は、図１のＡ−Ａ矢視に相当するクリックの原理説明図である。
双眼鏡本体１０の内周面に形成した環状の台座部１０ａには接眼筒１２が載    置されており、この接眼筒１２は、止め環１２によって双眼鏡本体１０と一体になっている。接眼筒１２の内周面には、接眼レンズを固設した接眼レンズ環１３が嵌合すると共に、接眼レンズ環１３の外周面には雄ねじが形成され、接眼筒１２の内周面に形成した雌ねじに螺合している。接眼筒１２の外側を覆うように接眼筒１２の外周径より大きな内周径を有する操作部１４ａが設けられた視度調節環１４は、接眼筒１２の上端を跨いで接眼レンズ環１３の上端付近で固定ビス１５により固定されている。視度調節環１４の上端にはゴム製の目当て１６が装着されている。
接眼筒１１の上端近傍外周には、クリック溝１ａ、１ｂ・・・・が全周にわ    たって形成されて、クリック溝列１を構成し、クリック溝列１に対向する位置には、クリック突起部材２の突起がクリック溝１ａに嵌入するように視度調節環１４に設けられている。クリック突起部材２は、円弧状の薄板状本体にクリック溝１ａに嵌入する突起を形成して構成され、薄板状本体自体がクリック溝列１の溝１ａ等の並設方向と直交する方向へ弾力性を持っている。図２に示したように、クリック突起部材２はほぼ対向する位置に計２つ設けられており（２、２０）、各クリック突起部材２、２０の各突起の位置がクリック溝列１の溝１ａ等のピッチの１／２だけずれている。
このような構成であるから、視度調節環１４を矢印Ｘ方向へ回転すると、接    眼レンズ環１３が回転しながらレンズの光軸方向へ進退する。この際、クリック突起部材２、２０の突起２ａ、２ｂがクリック溝列１の溝１ａ等に順次嵌入していく。一方のクリック突起部材２の突起がクリック溝１ａに嵌入した状態で視度調節環１４をさらに回転すると、クリック突起部材２の突起２ａがいま嵌入しているクリック溝１ａの隣のクリック溝１ｂに嵌入する前に、クリック突起部材２０の突起２０ａがクリック溝１ｃに嵌入する。その後さらに視度調節環１４を回転すると、クリック突起部材２０の突起２０ａがいま嵌入しているクリック溝１ｃに隣接するクリック溝１ｄに嵌入する前に、クリック突起部材２の突起２ａがクリック溝１ｂに嵌入する。
このようにして、クリック突起部材２、２０の突起２ａ、２０ａが順次クリ    ック溝列１の溝１ａ等に嵌入し、その結果、クリック溝列１の溝ピッチの１／２の精度での位置決めのできるクリック装置が得られる。
図２に対応する図３は、クリック突起部材を３つ設け（２，２０，２００）    それぞれの突起２ａ、２０ａ、２００ａを互いにクリック溝列１の溝ピッチの１／３ずつずらせて配置したもので、この例によれば、クリック溝列１の溝ピッチの１／３の精度で位置決めが行える。
以上のべたところから、クリック突起部材の突起をＭ個設け、これらの突起    をクリック溝列１の溝ピッチの１／Ｍずつずらせて配置することにより、クリック溝列１の溝ピッチの１／Ｍの精度で位置決めが行えることは明らかである。この際、各突起は、クリック溝列１のどの溝に対応させても同じであるから、互いにＮピッチ（Ｎは０又は任意の自然数）分ずれて配置されても全く同じであることも明らかである。
また、以上の実施例では、クリック突起部材の突起を等間隔においた例をあ    げたが、必ずしも間隔が等しくなくてもよく、この点は使い勝手の問題となる。
さらに、以上の実施例では、双眼鏡の視度調節環に本発明を利用した例をあ    げたので、クリック溝列が円周方向に形成されていたが、クリック装置は種々の構成、種々の装置への適用が可能であり、例えば、適用対象によっては、平板上にクリック溝列が形成された直線移動装置に本発明のクリック装置を用いてもよい。
さらにまた、クリック装置の細かな構成には種々の変更が可能である。例え    ば、クリック突起部材がクリック溝列の溝配列方向に直交する方向に弾性的に付勢されたバネ板により構成することもできる。
【０００６】
【発明の効果】
本発明によれば、クリック装置において、クリック溝列の溝ピッチ以下の細    かな精度での位置決めの行えるクリック装置を得ることができる。特に、クリック溝列の溝に嵌入するクリック突起部材の複数の突起を等間隔を配置することにより、等間隔に位置決めが行える。
【０００７】
【図面の説明】
【０００８】
【図１】本発明の第一実施例を適用した双眼鏡の接眼部の部分断面図である。
【０００９】
【図２】図１のＡーＡ矢視図に相当する本発明の第１実施例の平面図である。
【００１０】
【図３】図１のＡーＡ矢視図に相当する本発明の第２実施例の平面図である。
【００１１】
【符号の説明】
１    クリック溝列
１ａ  クリック溝
１ｂ  クリック溝
１ｃ  クリック溝
１ｄ  クリック溝
２    クリック突起部材
２ａ  クリック突起
２０  クリック突起部材
２０ａクリック突起
【図１】
0003584297.tif 000002
【図２】
0003584297.tif 000003
【図３】
0003584297.tif 000004